(57)【要約】【課題】薄型化および軽量化を図ることができる両面自発光型の表示パネルを提供すること。【解決手段】ガラス基板２上には、例えばＩＴＯの薄膜による第一電極３がストライブ状に形成され、その上に発光機能層６が成膜される。そして、発光機能層６の上には金属製の第二電極７が形成されて、第二電極７上には例えばガラス素材による光透過性の封止部材８が重畳される。第二電極７の一部には発光機能層６からの映像光を通過させる開口７ａが形成されており、前記ガラス基板２側において第一発光領域Ｌ１  が形成され、封止部材８側において第二発光領域Ｌ２  が形成される。【選択図】      図１
2004355813.tif 000002
【特許請求の範囲】
【請求項１】
透明基板上に第一電極が形成され、前記第一電極上に少なくとも一層以上からなる発光機能層による発光画素を形成すると共に、前記発光機能層上に第二電極を形成し、さらに前記第二電極上を封止部材で覆った構成の自発光表示装置であって、
前記第一電極が前記発光画素からの光を前記透明基板側に通すように構成されると共に、前記第二電極が前記発光画素からの光を前記封止部材側に通すように構成され、且つ前記封止部材の少なくとも一部が光透過性の素材で形成されていることを特徴とする自発光表示装置。
【請求項２】
前記第一電極および第二電極が、それぞれ光透過性の導電材料により形成されていることを特徴とする請求項１に記載の自発光表示装置。
【請求項３】
前記第一電極もしくは第二電極のいずれか一方が、光透過性の導電材料により形成され、他の一方が金属材料により形成されると共に、前記金属材料による電極層の一部に光透過用の開口が形成されていることを特徴とする請求項１に記載の自発光表示装置。
【請求項４】
前記透明基板側に形成される発光画素による第一発光領域と、前記封止部材側に形成される発光画素による第二発光領域とが、それぞれ表裏の同一位置に形成されていることを特徴とする請求項１ないし請求項３のいずれかに記載の自発光表示装置。
【請求項５】
前記透明基板側に形成される発光画素による第一発光領域に対して、前記封止部材側に形成される発光画素による第二発光領域の表示面積が小さく形成されていることを特徴とする請求項１ないし請求項３のいずれかに記載の自発光表示装置。
【請求項６】
前記第一発光領域において表示される発光表示パターンと、第二発光領域において表示される発光表示パターンとが、左右対称のパターンもしくは上下対称で表示されるように構成したことを特徴とする請求項４または請求項５に記載の自発光表示装置。
【請求項７】
前記発光画素がマトリクス状に配列されたドットマトリクス表示装置であって、前記第一発光領域において表示される発光表示パターンと、第二発光領域において表示される発光表示パターンとが、ミラー反転して表示されるように構成したことを特徴とする請求項４または請求項５に記載の自発光表示装置。
【請求項８】
前記発光画素を中央にした前記透明基板側および前記封止部材側に、互いに偏光面が交差する偏光板をそれぞれ配置したことを特徴とする請求項１ないし請求項７のいずれかに記載の自発光表示装置。
【請求項９】
ディスプレイとして自発光表示装置を搭載した情報機器であって、
前記ディスプレイの表裏両面から、発光画素による表示画像を視認することができるように構成したことを特徴とする自発光表示装置を用いた情報機器。
【請求項１０】
前記ディスプレイの一面側に形成される発光画素による第一発光領域と、他面側に形成される発光画素による第二発光領域とが前記ディスプレイにおける表裏の同一位置に形成されていることを特徴とする請求項９に記載の自発光表示装置を用いた情報機器。
【請求項１１】
前記ディスプレイの一面側に形成される発光画素による第一発光領域に対して、前記ディスプレイの他面側に形成される発光画素による第二発光領域の表示面積が小さく形成されていることを特徴とする請求項９に記載の自発光表示装置を用いた情報機器。
【請求項１２】
前記第一発光領域において表示される発光表示パターンと、第二発光領域において表示される発光表示パターンとが、左右対称もしくは上下対称のパターンで表示されるように構成したことを特徴とする請求項１０または請求項１１に記載の自発光表示装置を用いた情報機器。
【請求項１３】
前記発光画素がマトリクス状に配列されたドットマトリクス表示装置が用いられ、前記第一発光領域において表示される発光表示パターンと、第二発光領域において表示される発光表示パターンとが、制御信号によってミラー反転して表示されるように構成したことを特徴とする請求項１０または請求項１１に記載の自発光表示装置を用いた情報機器。
【請求項１４】
前記ディスプレイの第一発光領域もしくは第二発光領域のいずれを視認するかを識別する識別手段が具備され、当該識別手段からの情報に基づいて、異なる画像情報を切り換え表示するように構成したことを特徴とする請求項１０ないし請求項１３のいずれかに記載の自発光表示装置を用いた情報機器。
【請求項１５】
前記ディスプレイにおける発光画素が、有機ＥＬ素子により構成されていることを特徴とする請求項７ないし請求項１４のいずれかに記載の自発光表示装置を用いた情報機器。
【発明の詳細な説明】
【０００１】
【発明の属する技術分野】
この発明は、例えば有機ＥＬ（エレクトロルミネッセンス）表示素子を発光画素とした自発光表示装置に関し、特に表示装置の表裏両面において表示画像を視認することができるように構成した自発光表示装置と、これを用いた情報機器に関する。
【０００２】
【従来の技術】
発光素子をマトリクス状に配列して構成される表示パネルを用いたディスプレイの開発が広く進められている。このような表示パネルに用いられる発光素子として、有機材料を発光層に用いた有機ＥＬ素子が注目されており、これをマトリクス状に配列した自発光型のディスプレイが一部において商品化されている。これはＥＬ素子を構成する発光機能層に、良好な発光特性を期待することができる有機化合物を使用することによって、実用に耐え得る高効率化および長寿命化が進んだことが背景にある。
【０００３】
前記した有機ＥＬを用いた表示パネルとして、ＥＬ素子を単にマトリクス状に配列したパッシブマトリクス型表示パネルと、マトリクス状に配列したＥＬ素子の各々に、例えばＴＦＴ（Ｔｈｉｎ  Ｆｉｌｍ  Ｔｒａｎｓｉｓｔｏｒ）からなる能動素子を加えたアクティブマトリクス型表示パネルが提案されている。しかし、いずれにしても、それぞれの発光素子（画素）を駆動制御させるために、発光機能層を第一電極と第二電極で挟んだ構成になされる。
【０００４】
そして、その一方の電極を光透過性の導電材料である例えばＩＴＯ（Ｉｎｄｉｕｍ  Ｔｉｎ  Ｏｘｉｄｅ）膜により形成し、前記発光機能層からの光をＩＴＯによる電極を介して外部に引き出す構成になされている。すなわち、従来のこの種の自発光型のディスプレイにおいては、ディスプレイの一面側に画像が再生されるように構成されている。
【０００５】
一方、駅などの公共施設に配置される案内表示板に、前記ＥＬ発光板を利用したものが提案されており、前記案内表示板の表裏にそれぞれ異なった案内情報を表示することができる両面自発光型の表示装置が特許文献１に開示されている。
【０００６】
【特許文献１】
特開２０００−５８２６０号公報（段落００２０、図１）
【０００７】
【発明が解決しようとする課題】
ところで、前記した特許文献１に開示された両面自発光型の表示装置においては、従来から知られている片面表示型の発光表示パネルを、いわば背中合わせに重ね合わせた形式であり、この場合、例えば金属により構成された背面電極を共用することで、一応の薄型化を図るようにしている。
【０００８】
前記したように、公共施設等に設置される案内表示板等においては、その両面において案内情報を表示する点を主眼としており、それ程の薄型化の要求の度合いは少ないため、背面電極を共用することで、それに応じた薄型化を図っているものと考えられる。しかしながら、昨今において著しく需要が伸びている携帯型の情報機器、例えば折り畳み可能な携帯電話機においては、周知のように開いた状態で利用する比較的大型のＬＣＤによる表示部と、閉じた状態で利用する小型のＬＣＤによる表示部とが、背中合わせの状態で配置されている。
【０００９】
このような折り畳み可能な携帯電話機に利用される表裏両面において情報を表示する表示装置においては、いっそう薄型化できることは望ましいことであり、これに加えてより軽量化できることは重要な技術課題となる。
【００１０】
この発明は、前記したような技術的な観点にたってなされたものであり、さらに薄型化、並びに軽量化することが期待できる両面表示が可能な自発光型の表示装置と、これを用いた情報機器を提供することを目的とするものである。
【００１１】
【課題を解決するための手段】
前記した目的を達成するためになされたこの発明にかかる自発光表示装置は、請求項１に記載のとおり、透明基板上に第一電極が形成され、前記第一電極上に少なくとも一層以上からなる発光機能層による発光画素を形成すると共に、前記発光機能層上に第二電極を形成し、さらに前記第二電極上を封止部材で覆った構成の自発光表示装置であって、前記第一電極が前記発光画素からの光を前記透明基板側に通すように構成されると共に、前記第二電極が前記発光画素からの光を前記封止部材側に通すように構成され、且つ前記封止部材の少なくとも一部が光透過性の素材で形成されている点に特徴を有する。
【００１２】
また、前記した目的を達成するためになされたこの発明にかかる情報機器は、請求項９に記載のとおり、ディスプレイとして自発光表示装置を搭載した情報機器であって、前記ディスプレイの表裏両面から、発光画素による表示画像を視認することができるように構成した点に特徴を有する。
【００１３】
【発明の実施の形態】
以下、この発明にかかる自発光表示装置についての実施の形態を先に説明し、これを用いた情報機器についての実施の形態を後に説明する。なお、以下に説明する自発光表示装置については、発光機能層に有機化合物を用いたアクテイブマトリクス型有機ＥＬ表示装置に基づいて説明するが、この発明はこの様な形態に拘泥されることなく、後述するようにパッシブマトリクス型の表示装置に適用することも可能である。
【００１４】
まず、図１はこの発明にかかる自発光表示装置としての有機ＥＬ表示パネル１の積層状態を模式的に示した断面図である。符号２は透明基板としてのガラス基板を示しており、このガラス基板２上には、複数本の第一電極３がストライブ状に形成されている。この第１電極３には周知のＩＴＯ等の薄膜が用いられており、これは一般的なフォトリソ法を利用することで、ガラス基板２上にパターニングされている。これにより、後述する発光機能層に形成される発光画素からの光を、ＩＴＯ等の薄膜による前記第一電極３を透過させて前記ガラス基板２側に導出させることができる。
【００１５】
そして、その上にホール輸送層４が例えば蒸着により形成され、さらに、ホール輸送層４の上に、有機化合物による発光層５が同様に蒸着により成膜され、これらにより発光機能層６を形成している。なお、前記発光機能層６においては、現実には前記発光層５の上に電子輸送層、さらには電子注入層なども成膜されるが、図示の便宜上これらは省略している。そして、発光機能層６の上に第二電極７が形成される。この第二電極７は、例えばアルミニウムを主体とした金属を用いることができ、アクテイブマトリクス型表示パネルにおいては、これを１枚のベタ電極（共通電極）で構成させることができる。
【００１６】
このように、第二電極７を１枚のベタ電極で構成させる場合においては、第二電極７の一部、好ましくは各画素に対応させて、光を透過させる開口７ａを形成させることが望ましい。これにより、発光機能層６に形成される発光画素からの光を、これの裏面にあたる後述する封止部材側にそれぞれ導出させることができる。そして、前記第二電極７の上には、さらに光透過性の素材、例えばガラス素材による封止部材８が重畳されて表示パネル１を形成している。
【００１７】
ここで、後述するように各画素毎に配置された駆動用ＴＦＴをオン動作させることで、等価的に図１に示すように第一電極３に直流電源Ｖ１  の正極を、また、第二電極７に直流電源Ｖ１  の負極を接続した構成になされる。これにより、各画素部分において第一電極３側からのホールと、第二電極７側からの電子が、発光層５で再結合して発光する。この発光作用による光は、前記したようにＩＴＯによる第一電極３およびガラス基板２を介して外部に取り出される。また、前記発光作用による光は、第二電極７の一部に形成された前記開口７ａおよびガラス素材による封止部材８を介して外部に取り出される。
【００１８】
なお、前記発光機能層６に形成される発光画素によって、前記ガラス基板２側に形成される発光領域を第一発光領域Ｌ１  と呼び、また封止部材８側に形成される発光領域を第二発光領域Ｌ２  と呼ぶことにする。このように表裏に各発光領域が形成された構成によると、例えば第一発光領域Ｌ１  側から第二発光領域Ｌ２  側に向かって（または、これとは逆方向に）、外光が透過されるために、たとえ画素が発光しても高いコントラストを得ることが不可能になる。
【００１９】
そこで、図１に示した実施の形態においては、ガラス基板２の表面に第一偏光板９を、また封止部材８の表面に第二偏光板１０が貼り合わせてあり、第一偏光板と第二偏光板との偏光面が互いに交差する関係になされている。したがってこの２枚の偏光板の組み合わせにより外光の透過を防止し、表裏両面からそれぞれの発光領域を見た場合、発光領域はブラックフェースとなる表示形態になされる。以上説明した構成によると、よりいっそうの薄型化および軽量化を図ることができる両面自発光型の表示パネルを提供することが可能となる。
【００２０】
図２は、前記した構成の自発光表示パネルを点灯駆動する点灯駆動回路の例をブロック図によって示したものである。表示されるべき映像信号は、駆動制御回路２１およびアナログ／デジタル（Ａ／Ｄ）変換器２２に供給される。前記駆動制御回路２１は映像信号中における水平同期信号および垂直同期信号に基づいて、前記Ａ／Ｄ変換器２２に対するクロック信号ＣＬ、およびフレームメモリ２３に対する書き込み信号Ｗおよび読み出し信号Ｒを生成する。
【００２１】
前記Ａ／Ｄ変換器２２は、駆動制御回路２１から供給されるクロック信号ＣＬに基づいて、入力された映像信号をサンプリングし、これを１画素毎に対応した画素データに変換して、フレームメモリ２３に供給するように作用する。前記フレームメモリ２３は、駆動制御回路２１からの書き込み信号Ｗによって、Ａ／Ｄ変換器２２から供給される各画素データをフレームメモリ２３に順次書き込むように動作する。
【００２２】
かかる書き込み動作により表示パネルにおける一画面（ｍ列、ｎ行）分の画素データの書き込みが終了すると、フレームメモリ２３は駆動制御回路２１から供給される読み出し信号Ｒによって、第１行から第ｎ行へと１行分毎に読み出したシリアルな画素データを、順次データドライバ２４におけるシフトレジスタ２４ａに供給するようになされる。
【００２３】
この時、駆動制御回路２１からはバスライン２６を介してデータドライバ２４に対して、クロック信号、スタート信号、ラッチ信号等が供給される。一方、これと同時に駆動制御回路２１よりバスライン２７を介して走査クロック信号、走査スタート信号等が供給される。これに基づいてゲートドライバ２５は、後述するように各走査ラインに対して順次ゲートオン電圧を送出する。
【００２４】
前記データドライバ２４には、バスライン２６を介して供給を受けるクロック信号に同期するスタート信号を受けた時、１水平期間分のシリアルな画素データを、クロック信号にしたがってパラレルデータとして取り込むシフトレジスタ２４ａと、１水平期間の終了時に出力されるラッチ信号に基づいて、シフトレジスタ２４ａより１水平期間分の画素データを一度にラッチするラッチ回路２４ｂと、前記ラッチ回路２４ｂにラッチされた各画素データを所定のレベルに変換して表示パネル１に出力するレベルシフタ２４ｃとが備えられている。
【００２５】
一方、前記ゲートドライバ２５には、アドレス期間中において、バスライン２７を介して供給を受ける走査クロック信号に同期する走査スタート信号を受けた時、例えば１フレームに対応するゲート制御信号を、走査クロック信号にしたがって順次取り込むシフトレジスタ２５ａと、このシフトレジスタ２５ａに取り込まれたゲート制御信号を、所定のレベルに変換して表示パネル１に出力するレベルシフタ２５ｂとが備えられている。
【００２６】
前記表示パネル１には、前記したデータドライバ２４におけるレベルシフタ２４ａにそれぞれ接続された多数のデータ電極線Ａ１  〜Ａｍ  が列方向に配列されており、また、前記したゲートドライバ２５におけるレベルシフタ２５ｂにそれぞれ接続された多数の走査電極線Ｂ１  〜Ｂｎ  が行方向に配列されている。
【００２７】
そして、図２に示す表示パネル１内に代表して１つの画素構成を示したように、制御用ＴＦＴ（Ｑ１  ）のゲートは、ゲートドライバ２５からの走査電極線Ｂ１  に接続され、この制御用ＴＦＴ（Ｑ１  ）のソースは、データドライバ２４からのデータ電極線Ａ１  に接続されている。さらに制御用ＴＦＴのドレインは、駆動用ＴＦＴ（Ｑ２  ）のゲートに接続されると共に、キャパシタＣ１  の一端に接続されている。
【００２８】
また、駆動用ＴＦＴ（Ｑ２  ）のドレインは電源供給線Ｖ１  に接続されており、前記キャパシタＣ１  の他端も電源供給線Ｖ１  に接続されている。さらに、駆動用ＴＦＴのソースは、有機ＥＬ素子Ｅ１  のアノードに接続され、有機ＥＬ素子Ｅ１  のカソードは、前記したベタ電極により構成され、基準電位点となる第二電極７に接続されている。以上の構成は、各画素部ごとにそれぞれ同様に構成されている。
【００２９】
前記した構成において、制御用ＴＦＴ（Ｑ１  ）のゲートにオン電圧が供給されると、制御用ＴＦＴはソースに供給される画素データの電圧に対応した電流をソースからドレインへ流す。この制御用ＴＦＴのゲートがオン電圧の期間に、ソースの電圧に基づいた電流でキャパシタＣ１  が充電される。そして、その充電電圧が駆動用ＴＦＴ（Ｑ２  ）のゲートに供給されて、駆動用ＴＦＴはそのゲート電圧と電源供給線Ｖ１  からの電圧に基づいた電流を有機ＥＬ素子Ｅ１  に流し、これによりＥＬ素子Ｅ１  は発光する。
【００３０】
一方、制御用ＴＦＴ（Ｑ１  ）のゲートがオフ電圧となると、制御用ＴＦＴはいわゆるカットオフとなり、制御用ＴＦＴのドレインはオープン状態となる。したがって、駆動用ＴＦＴ（Ｑ２  ）はキャパシタＣ１  に蓄積された電荷により、ゲート電圧が保持される。そして、次の走査まで駆動用ＴＦＴによるＥＬ素子Ｅ１  への駆動電流を維持し、これによりＥＬ素子の発光も維持される。
【００３１】
ところで、前記した作用によるＥＬ素子の発光駆動動作は、図１に示した表示パネル１の表裏両面に形成された第一発光領域Ｌ１  および第二発光領域Ｌ２  において同時に観察することができる。この場合、表示パネル１を表から裏に返す方向によって、第一発光領域Ｌ１  に表示される画素の発光による表示情報は、第二発光領域Ｌ２  においては左右対称のパターンもしくは上下対称のパターンとして観察されることになる。
【００３２】
そこで、図２に示した回路構成においては、前記した表示パネル１が後述するように情報機器に対して開閉可能に取付けられた構成において、当該表示パネルの開閉状態を識別する開閉状態検出手段２９からの制御信号を駆動制御回路２１が受けるように構成されている。この構成により駆動制御回路２１は、開閉状態検出手段２９からの制御信号に応じて、例えば第二発光領域Ｌ２  に表示する画像信号をミラー反転させる処理を実行するようになされる。
【００３３】
この場合のミラー反転処理には、二つの反転態様が考えられる。その第一の反転態様は、第二発光領域Ｌ２  に表示される左右対称の反転パターンを正像に見せるために、画素データを左右対称にミラー反転させるものであり、その第二の反転態様は、第二発光領域Ｌ２  に表示される上下対称の反転パターンを正像に見せるために、画素データを上下対称にミラー反転させるものである。
【００３４】
前記したミラー反転処理は、図２に示したフレームメモリ２３に対して、１フレームに対応した各画素データを書き込む時に処理することができ、また、フレームメモリ２３から１フレームに対応した各画素データを読み出す時に処理することもできる。ここで、フレームメモリ２３から画素データを読み出す場合において、左右対称にミラー反転させる場合の処理例と、上下対称にミラー反転させる場合の処理例とを図３に基づいて説明する。
【００３５】
まず図３（ａ）は、左右対称にミラー反転させる場合の処理例を模式的に示したものであり、罫線枠で囲まれた各符号、すなわちｄ１１，ｄ２１，ｄ３１，……は、図２に示すフレームメモリ２３に格納された各画素データを示している。すなわち、フレームメモリ２３には、前記した表示パネル１に配列された各発光素子の配列にしたがって、各行毎にｍ列分の画素データが書き込まれ、これがｎ行分書き込まれることにより、１フレームの画素データが格納される。そして、図３（ａ）に示す矢印はフレームメモリ２３の読み出し方向を示しており、フレームメモリ２３に格納された各画素データは、まず、符号Ｒ１  に示す矢印方向に読み出される。続いて、Ｒ２  およびＲ３  ……の順序で順に読み出される。
【００３６】
したがって、左右対称にミラー反転させる場合の処理例においては、アドレッシング時の第１走査において、ｄｍ１，……ｄ４１，ｄ３１，ｄ２１，ｄ１１の順に画素データが読み出され、また第２走査において、ｄｍ２，……ｄ４２，ｄ３２，ｄ２２，ｄ１２の順に画素データが読み出される。同様な読み出し処理は、図３（ａ）に示す１フレームに相当するフレームメモリ２３に記憶された全ての画素データに対して行われる。この結果、表示パネル１の第二発光領域Ｌ２  に表示される画像は、元の表示データに対して、左右対称にミラー反転させた状態になされる。これにより、第二発光領域Ｌ２  には、左右方向にミラー反転された正常な表示画面が表示される。
【００３７】
次に図３（ｂ）は、上下対象にミラー反転させる場合の処理例を模式的に示したものであり、罫線枠で囲まれた各符号、すなわちｄ１１，ｄ２１，ｄ３１，……は、前記と同様に図２に示すフレームメモリ２３に格納された各画素データを示している。そして、図３（ｂ）に示す矢印はフレームメモリ２３の読み出し方向を示しており、フレームメモリ２３に格納された各画素データは、まず、符号Ｒ１  に示す矢印方向に読み出される。続いて、Ｒ２  およびＲ３  ……の順序で同様に画素データが読み出される。
【００３８】
したがって、上下対称にミラー反転させる場合の処理例においては、アドレッシング時の第１走査において、ｄ１ｎ，ｄ２ｎ，ｄ３ｎ，ｄ４ｎ，……ｄｍｎの順に画素データが読み出され、同様な読み出し処理は、図３（ｂ）に示す１フレームに相当するフレームメモリ２３に記憶された全ての画素データに対して行われる。この結果、表示パネル１の第二発光領域Ｌ２  に表示される画像は、元の表示データに対して、上下対称にミラー反転させた状態で表示される。これにより、第二発光領域Ｌ２  には、上下方向にミラー反転された正常な表示画面が表示される。
【００３９】
図４は図１に示した構成の両面自発光型の表示パネルを用い、且つ図２に示した点灯駆動回路を採用した情報機器の第１の実施の形態を示したものである。この図４に示す例は、折り畳み式の携帯電話機を示しており、図４（ａ）は、この電話機３１を開いた状態で示しており、図４（ｂ）は折り畳んだ状態で示している。
【００４０】
図４に示すように携帯電話機３１は、複数のキーボタン３２が配列され、送話口３３が下端部に形成された操作部３４と、この操作部３４に対してヒンジ部３５を介して開閉可能に連結され、その上端部側に受話口３８が形成された表示部３７より構成されている。そして、表示部３７には、図１に基づいて説明した両面自発光型の表示パネル１が収容されている。
【００４１】
前記表示部３７には、折り畳み式携帯電話機３１を開いた状態で露出されるメイン表示部４０に、図１に基づいて説明した表示パネル１の第一発光領域Ｌ１  が臨むように収容されている。そして、このメイン表示部４０の裏面には図４（ｂ）に示すように、メイン表示部４０に比較して小面積のサブ表示部４１が形成され、このサブ表示部４１に表示パネル１の第二発光領域Ｌ２  が臨むように配置されている。
【００４２】
図４に示した折り畳み式の携帯電話機３１においては、図４（ａ）に示すように開いた状態においては、通常においてはメイン表示部４０の表示情報を視認するものであり、この時にはメイン表示部４０には、例えば電話の発信番号や、電子メール等の送受信の文字もしくは記号などが表示される。また、図４（ｂ）に示すように閉じた状態においては、当然ながらサブ表示部４１の表示情報を視認することになり、この時にはサブ表示部４１には、例えば日付および時刻ならびに電話着信の有無などの情報が表示される。
【００４３】
すなわち、図１に示した構成の両面自発光型の表示パネルを図４に示した構成の携帯電話機３１に採用した場合には、ユーザが第一発光領域Ｌ１  もしくは第二発光領域Ｌ２  のいずれを視認するかを識別し、それに応じて第一発光領域Ｌ１  もしくは第二発光領域Ｌ２  に対して適正な情報を表示する必要がある。さらに、図４に示した構成の携帯電話機３１においては、第一発光領域Ｌ１  に対する表示と、第二発光領域Ｌ２  に対する表示とは、画素データを左右対称にミラー反転させる必要がある。
【００４４】
前記したように、ユーザが第一発光領域Ｌ１  もしくは第二発光領域Ｌ２  のいずれを視認するかを識別する手段として、図４に示した実施の形態においては、ヒンジ部３５に、図２に基づいて説明した開閉状態検出手段２９が配置されている。すなわち、この検出手段２９には例えば回転検出型のマイクロスイッチが用いられ、ヒンジ部３５を介して電話機が開かれた状態、もしくは閉じられた状態を識別するようになされる。
【００４５】
前記した構成により、開閉状態検出手段２９において電話機が開かれた状態を検出した場合には、前記したように第一発光領域Ｌ１  において表示されるべき映像信号が供給され、メイン表示部４０において表示される。また、開閉状態検出手段２９において電話機が閉じられた状態を検出した場合には、第二発光領域Ｌ２  において表示されるべき映像信号が供給され、この時、図２に示す駆動制御回路２１は、フレームメモリ２３より左右対称にミラー反転させる読み出し動作を実行する。これにより、サブ表示部４１において左右対称にミラー反転された正像の文字もしくは記号などが表示される。
【００４６】
次に図５は、図１に示した構成の両面自発光型の表示パネルを用い、且つ図２に示した点灯駆動回路を採用した情報機器の第２の実施の形態を示したものである。この図５に示す例はノートブック型パソコンを示しており、図５（ａ）はディスプレイを第１状態に展開した状態を、図５（ｂ）はディスプレイをさらに第２状態に展開した状態を示している。
【００４７】
この図５に示したパソコン５１においては、多数のキー５３が配列されたパソコン本体５２の奥側の端縁に第１ヒンジ部５４が形成されており、この第１ヒンジ部５４を介して第１フレーム５５が開閉可能に取付けられている。そして、この第１フレーム５５には、パソコン本体５２に向かうようにして第１ディスプレイ５６が取付けられている。また、前記第１フレーム５５のさらに頂部側の端縁には、第２ヒンジ部５７が形成されており、この第２ヒンジ部５７を介して第２フレーム５８がさらに開閉可能に取付けられている。
【００４８】
そして、前記第２フレーム５８には第２ディスプレイとして機能する両面自発光型のディスプレイが取付けられている。すなわち、図５に示す実施の形態においては、図１に示した両面自発光型の表示パネル１が第２ディスプレイとして搭載されている。この第２ディスプレイは、第１ヒンジ部５４を介して展開させることにより、図５（ａ）に示したように表示パネル１の第一発光領域Ｌ１  によるメイン表示部５９が前面に向かって表示される。さらに第２ヒンジ部５７を介して展開させることにより、図５（ｂ）に示したように表示パネル１の第二発光領域Ｌ２  によるサブ表示部６０が前面に向かって表示されるように構成される。
【００４９】
この図５に示す実施の形態においては、第２ディスプレイとして搭載された表示パネル１の第一発光領域Ｌ１  によるメイン表示部５９、および第二発光領域Ｌ２  によるサブ表示部６０は、それぞれ表裏の同一位置に、且つほぼ同一の面積で形成されている。そして、前記第２ヒンジ部５７の開閉状態を検出することで、図５（ａ）に示すようにメイン表示部５９を利用している状態であるか、図５（ｂ）に示すように第１ディスプレイ５６に加えてサブ表示部６０を利用している状態であるかを識別するように構成されている。
【００５０】
前記第２ヒンジ部５７の開閉状態を検出する手段としては、第２ヒンジ部５７に回転検出型のマイクロスイッチを配置してもよく、また第１フレーム５５と、第２フレーム５８とが対向（重合）した状態であるか否かを検出するマイクロスイッチを配置してもよい。これらスイッチのオン・オフ情報は、図２に示した開閉状態検出手段２９として機能する。
【００５１】
ここで、前記第２ヒンジ部５７が閉じられていることを検出した場合には、パソコン５１は図５（ａ）に示す利用形態であると判定することができ、メイン表示部５９、すなわち第一発光領域Ｌ１  において情報が表示される。また、前記第２ヒンジ部５７が開放されていることを検出した場合には、パソコン５１は図５（ｂ）に示す利用形態であると判定することができ、第１ディスプレイ５６に加えてサブ表示部６０、すなわち第二発光領域Ｌ２  において情報を表示するようになされる。
【００５２】
このように第二発光領域Ｌ２  において情報を表示する場合においては、図２に示す駆動制御回路２１は、フレームメモリ２３より上下対称にミラー反転させる読み出し動作を実行する。これにより、サブ表示部６０において上下対称にミラー反転された正像の文字もしくは記号などが表示される。
【００５３】
図６は、図１に示した構成の両面自発光型の表示パネルを用い、且つ図２に示した点灯駆動回路を採用した情報機器の第３の実施の形態を示したものである。この図６に示す例は、一般にＰＤＡ（Ｐｅｒｓｏｎａｌ  Ｄｉｇｉｔａｌ  Ａｓｓｉｓｔａｎｔ）と称される情報端末機を示しており、図６（ａ）はディスプレイを展開して第１と第２のディスプレイを利用できる状態を、また図６（ｂ）は単一のディスプレイを利用する状態を示している。
【００５４】
この図６に示したＰＤＡ６１においては、操作キー６２ａ，６２ｂが配列されたＰＤＡ本体６３に、第１ディスプレイ６４が形成されている。また、ＰＤＡ本体６３の向かって右端縁にはヒンジ部６５が形成されており、このヒンジ部６５を介してフレーム６６が取付けられている。このフレーム６６には、第２ディスプレイとして機能する両面自発光型のディスプレイが取付けられている。すなわち、図６に示す実施の形態においては、図１に示した両面自発光型の表示パネル１が第２ディスプレイとして搭載されている。
【００５５】
この第２ディスプレイは、前記ヒンジ部６５を介して展開させることにより、図６（ａ）に示したように第１ディスプレイ６４を露出させると共に、表示パネル１の第一発光領域Ｌ１  によるメイン表示部６７が、第１ディスプレイ６４の右側に位置するようになされる。また、前記ヒンジ部６５を介して第２ディスプレイを閉じた場合には、図６（ｂ）に示したように表示パネル１の第二発光領域Ｌ２  によるサブ表示部６８が前面に向かって表示されるように構成されている。
【００５６】
この図６に示す実施の形態においては、第２ディスプレイとして搭載された表示パネル１の第一発光領域Ｌ１  によるメイン表示部６７、および第二発光領域Ｌ２  によるサブ表示部６８は、それぞれ表裏の同一位置に形成され、且つほぼ同一の面積で形成されている。そして、前記ヒンジ部６５の開閉状態を検出することで、図６（ａ）に示すように第１ディスプレイ６４に加えてメイン表示部６７を利用している状態であるか、図６（ｂ）に示すようにサブ表示部６８を利用している状態であるかを識別するように構成されている。
【００５７】
前記ヒンジ部６５の開閉状態を検出する手段としては、ヒンジ部６５に回転検出型のマイクロスイッチを配置してもよく、またＰＤＡ本体６３と、フレーム６６とが対向した状態であるか否かを検出するマイクロスイッチを配置してもよい。これらスイッチのオン・オフ情報は、図２に示した開閉状態検出手段２９として機能する。
【００５８】
ここで、前記ヒンジ部６５において開放状態であることを検出した場合には、ＰＤＡ６１は図６（ａ）に示す利用形態であると判定することができ、第１ディスプレイ６４に加え、メイン表示部６７、すなわち第一発光領域Ｌ１  において情報を表示することができるようになされる。また、前記ヒンジ部６５において閉じられていることを検出した場合には、ＰＤＡ６１は図６（ｂ）に示す利用形態であると判定することができ、この時にはサブ表示部６０、すなわち第二発光領域Ｌ２  において情報を表示するようになされる。
【００５９】
そして、前記したように第二発光領域Ｌ２  において情報を表示する場合においては、図２に示す駆動制御回路２１は、フレームメモリ２３より左右対称にミラー反転させる読み出し動作を実行する。これにより、サブ表示部６８において左右対称にミラー反転された正像の文字もしくは記号などが表示される。
【００６０】
以上説明した実施の形態においては、両面自発光型の表示パネル１として、アクティブ駆動型の表示パネルを利用した例を示しているが、これは、パッシブ駆動型の表示パネルを利用することもできる。ただし、パッシブ駆動型の表示パネルを利用する場合においては、発光機能層を挟むようにストライブ状の第一電極およびこれに直交するストライブ状の第二電極を形成する必要がある。
【００６１】
そして、陽極線ドライブ／陰極線走査による駆動形式を採用した場合、陽極線としての第一電極に前記したようにＩＴＯの薄膜を利用し、電流が集中する陰極線としての第二電極に金属薄膜を使用するのが一般的である。この場合、金属薄膜による第二電極の一部にスリット、もしくは開口を形成することで、表示パネル１の第二発光領域Ｌ２  側に効果的に映像光を導出させることができる。
【００６２】
また、昨今においては、光透過性の導電材料として前記したＩＴＯよりも遥かに導電性の高い素材として、ＩＺＯ（Ｉｎｄｉｕｍ  Ｚｉｎ  Ｏｘｉｄｅ）等が提案（例えば特許第３１７９２８７号公報参照）されている。したがって、前記したような導電性の高い光透過性の素材を、第一電極および第二電極にそれぞれ利用することで、表示パネルの表裏両面に効果的に映像光を導出させることができる両面自発光型の表示パネルを提供することも可能となる。
【図面の簡単な説明】
【図１】この発明にかかる自発光表示装置の積層構造を示した断面図である。
【図２】図１に示す自発光表示装置を点灯駆動する駆動回路の例を示したブロック図である。
【図３】図２に示す点灯駆動回路においてなされる映像のミラー反転動作の処理例を示す模式図である。
【図４】この発明にかかる自発光表示装置を利用した情報機器の第１の実施の形態を示した図である。
【図５】同じく情報機器の第２の実施の形態を示した図である。
【図６】同じく情報機器の第３の実施の形態を示した図である。
【符号の説明】
１                発光表示パネル
２                透明基板
３                第一電極
６                発光機能層
７                第二電極
７ａ              開口
８                封止部材
９，１０          偏光板
２１              駆動制御回路
２２              Ａ／Ｄ変換器
２３              フレームメモリ
２４              データドライバ
２５              ゲートドライバ
２９              開閉状態検出手段
４０，５９，６７  メイン表示部
４１，６０，６８  サブ表示部
Ｌ１                第一発光領域
Ｌ２                第二発光領域
【図１】
2004355813.tif 000003
【図２】
2004355813.tif 000004
【図３】
2004355813.tif 000005
【図４】
2004355813.tif 000006
【図５】
2004355813.tif 000007
【図６】
2004355813.tif 000008